(57)【要約】      （修正有）【課題】電力量の増大化が容易であり、要求される電力量に見合った適切な容量とすることができる非常用電源装置を提供する。【解決手段】非常用電源装置は、複数の第１の蓄電池と、商用電力から複数の第１の蓄電池に充電するための第１のＡＣ／ＤＣ充電器と、複数の第１の蓄電池からの電力を商用電力に変換するためのＤＣ／ＡＣ変換器とを有する移動可能な基本ユニットを設ける。さらに、複数の第２の蓄電池と、該複数の第２の蓄電池に充電するための第２のＡＣ／ＤＣ充電器とを有する移動可能な少なくとも１つの増設ユニットとを備える。基本ユニットと少なくとも１つの増設ユニットとが互いに機械的に連結されていると共に、少なくとも１つの増設ユニットの複数の第２の蓄電池が基本ユニットのＤＣ／ＡＣ変換器に電気的に接続されており、ＤＣ／ＡＣ変換器は複数の第２の蓄電池からの電力をも商用電力に変換するように構成されている。【選択図】図１
0003170407.tif 000002
【実用新案登録請求の範囲】
【請求項１】
複数の第１の蓄電池と、該複数の第１の蓄電池に電気的に接続されており商用電力から該複数の第１の蓄電池に充電するための第１のＡＣ／ＤＣ充電器と、前記複数の第１の蓄電池に電気的に接続されており該複数の第１の蓄電池からの電力を商用電力に変換するためのＤＣ／ＡＣ変換器とを有する移動可能な基本ユニットと、
複数の第２の蓄電池と、該複数の第２の蓄電池に電気的に接続されており商用電力から該複数の第２の蓄電池に充電するための第２のＡＣ／ＤＣ充電器とを有する移動可能な増設ユニットと
を備えており、
前記基本ユニットと前記少なくとも１つの増設ユニットとが互いに機械的に連結されていると共に、該少なくとも１つの増設ユニットの前記複数の第２の蓄電池が前記基本ユニットの前記ＤＣ／ＡＣ変換器に電気的に接続されており、該ＤＣ／ＡＣ変換器は該複数の第２の蓄電池からの電力をも商用電力に変換するように構成されていることを特徴とする非常用電源装置。
【請求項２】
複数の第１の蓄電池と、該複数の第１の蓄電池に電気的に接続されており商用電力から該複数の第１の蓄電池に充電するための第１のＡＣ／ＤＣ充電器と、前記複数の第１の蓄電池に電気的に接続されており該複数の第１の蓄電池からの電力を商用電力に変換するためのＤＣ／ＡＣ変換器とを有する移動可能な基本ユニットと、
複数の第２の蓄電池と、該複数の第２の蓄電池に電気的に接続されており商用電力から該複数の第２の蓄電池に充電するための第２のＡＣ／ＤＣ充電器とを有する移動可能な増設ユニットと
を備えており、
前記基本ユニットと前記少なくとも１つの増設ユニットとが互いに機械的に連結されていると共に、該少なくとも１つの増設ユニットの前記複数の第２の蓄電池が前記基本ユニットの前記ＤＣ／ＡＣ変換器に電気的に接続されており、該ＤＣ／ＡＣ変換器は該複数の第２の蓄電池からの電力をも商用電力に変換するように構成されており、
前記基本ユニット及び前記少なくとも１つの増設ユニットの各々が、架台と該架台に取り付けられた複数のキャスタとを備えており、前記複数の第１及び第２の蓄電池が該架台上の上下方向の複数段にわたって搭載されていることを特徴とする非常用電源装置。
【請求項３】
複数の第１の蓄電池と、該複数の第１の蓄電池に電気的に接続されており商用電力から該複数の第１の蓄電池に充電するための第１のＡＣ／ＤＣ充電器と、前記複数の第１の蓄電池に電気的に接続されており該複数の第１の蓄電池からの電力を商用電力に変換するためのＤＣ／ＡＣ変換器とを有する移動可能な基本ユニットと、
複数の第２の蓄電池と、該複数の第２の蓄電池に電気的に接続されており商用電力から該複数の第２の蓄電池に充電するための第２のＡＣ／ＤＣ充電器とを有する移動可能な増設ユニットと
を備えており、
前記基本ユニットと前記少なくとも１つの増設ユニットとが互いに機械的に連結されていると共に、該少なくとも１つの増設ユニットの前記複数の第２の蓄電池が前記基本ユニットの前記ＤＣ／ＡＣ変換器に電気的に接続されており、該ＤＣ／ＡＣ変換器は該複数の第２の蓄電池からの電力をも商用電力に変換するように構成されており、
前記基本ユニット及び前記少なくとも１つの増設ユニットの各々が、架台と該架台に取り付けられた複数のキャスタとを備えており、前記複数の第１及び第２の蓄電池が該架台上の上下方向の複数段にわたって搭載されており、前記第１及び第２のＡＣ／ＤＣ充電器並びに前記ＤＣ／ＡＣ変換器が、前記架台の最上段に搭載されていることを特徴とする非常用電源装置。
【請求項４】
複数の第１の蓄電池と、該複数の第１の蓄電池に電気的に接続されており商用電力から該複数の第１の蓄電池に充電するための第１のＡＣ／ＤＣ充電器と、前記複数の第１の蓄電池に電気的に接続されており該複数の第１の蓄電池からの電力を商用電力に変換するためのＤＣ／ＡＣ変換器とを有する移動可能な基本ユニットと、
複数の第２の蓄電池と、該複数の第２の蓄電池に電気的に接続されており商用電力から該複数の第２の蓄電池に充電するための第２のＡＣ／ＤＣ充電器とを有する移動可能な増設ユニットと
を備えており、
前記基本ユニットと前記少なくとも１つの増設ユニットとが互いに機械的に連結されていると共に、該少なくとも１つの増設ユニットの前記複数の第２の蓄電池が前記基本ユニットの前記ＤＣ／ＡＣ変換器に電気的に接続されており、該ＤＣ／ＡＣ変換器は該複数の第２の蓄電池からの電力をも商用電力に変換するように構成されており、
前記基本ユニット及び前記少なくとも１つの増設ユニットの各々が、横方向への転倒を防止するための少なくとも１つの転倒防止部材及び／又は連結のための少なくとも１つの連結部材を備えていることを特徴とする非常用電源装置。
【考案の詳細な説明】
【技術分野】
【０００１】
本考案は、停電等により商用電源を供給できない場合に、電源供給を行うための非常用電源装置に関する。
【背景技術】
【０００２】
この種の非常用電源装置として、特許文献１には、商用電力を負荷機器に供給する系統中に系統切換装置が接続され、系統切換装置により商用電力から双方向インバータを介して蓄電池に至る充電系統と、蓄電池から双方向インバータを介して負荷機器へ至る電力供給系統に切換える電力貯蔵システムであって、系統切換装置に商用電力の停電を検出する停電検出器を設け、商用電力停電時には停電検出器の指令により非常用コンセントにだけ蓄電池の電力を供給するように切換える電力貯蔵システムが開示されている。
【０００３】
また、特許文献２には、自然災害や事故により生じた停電時において、エンジンによって駆動される発電機を備えた車両の電源端子から供給される直流電流によって充電される蓄電池と、この蓄電池からの直流電流をインバータで交流に変換して電源タップに供給し、この電源タップに小売店内のレジ等の電源プラグを接続してこのレジ等を稼動させる電源供給システムが開示されている。
【先行技術文献】
【特許文献】
【０００４】
【特許文献１】特開２０００−３０８２８０号公報
【特許文献２】特開２００７−０２８７９４号公報
【考案の概要】
【考案が解決しようとする課題】
【０００５】
しかしながら、特許文献１及び２に記載されているような従来の非常用電源装置によると、非常時に供給できる電力量があらかじめ決まっており、簡単に増大させることができなかった。このため電力量を増大させるためには、これに見合った数の非常用電源装置を用意して並列接続する必要があり、適切な電力量に調整することが難しく、逆に過剰電力量の非常用電源装置となってシステムが大幅にコストアップしてしまうという問題を有していた。
【０００６】
従って、本考案の目的は、電力量の増大化が容易であり、要求される電力量に見合った適切な容量とすることができる非常用電源装置を提供することにある。
【０００７】
本考案の他の目的は、電力量の増大化が容易であって安価な非常用電源装置を提供することにある。
【課題を解決するための手段】
【０００８】
本考案によれば、非常用電源装置は、複数の第１の蓄電池と、複数の第１の蓄電池に電気的に接続されており商用電力から複数の第１の蓄電池に充電するための第１のＡＣ／ＤＣ充電器と、複数の第１の蓄電池に電気的に接続されており複数の第１の蓄電池からの電力を商用電力に変換するためのＤＣ／ＡＣ変換器とを有する移動可能な基本ユニットと、複数の第２の蓄電池と、複数の第２の蓄電池に電気的に接続されており商用電力から複数の第２の蓄電池に充電するための第２のＡＣ／ＤＣ充電器とを有する移動可能な少なくとも１つの増設ユニットとを備えている。基本ユニットと少なくとも１つの増設ユニットとが互いに機械的に連結されていると共に、少なくとも１つの増設ユニットの複数の第２の蓄電池が基本ユニットのＤＣ／ＡＣ変換器に電気的に接続されており、ＤＣ／ＡＣ変換器は複数の第２の蓄電池からの電力をも商用電力に変換するように構成されている。
【０００９】
基本ユニットには複数の第１の蓄電池、第１のＡＣ／ＤＣ充電器及びＤＣ／ＡＣ変換器が搭載されており、増設ユニットには複数の第２の蓄電池及び第２のＡＣ／ＤＣ充電器が搭載されているがＤＣ／ＡＣ変換器は搭載されていない。基本ユニットに増設ユニットを必要数だけ連結して設けることにより、要求される電力量に見合った適切な容量の非常用電源装置を得ることができる。基本ユニットに必要数の増設ユニットを連結するのみで良いため、電力量の増大化が容易となる。また、増設ユニットの複数の第２の蓄電池からの電力の商用電力への変換も基本ユニットのＤＣ／ＡＣ変換器によって行われるので、各増設ユニット毎にＤＣ／ＡＣ変換器を設ける必要がなくなり、その分、安価な非常用電源装置を提供することができる。
【００１０】
本考案によれば、さらに、非常用電源装置は、複数の第１の蓄電池と、複数の第１の蓄電池に電気的に接続されており商用電力から複数の第１の蓄電池に充電するための第１のＡＣ／ＤＣ充電器と、複数の第１の蓄電池に電気的に接続されており複数の第１の蓄電池からの電力を商用電力に変換するためのＤＣ／ＡＣ変換器とを有する移動可能な基本ユニットと、複数の第２の蓄電池と、複数の第２の蓄電池に電気的に接続されており商用電力から複数の第２の蓄電池に充電するための第２のＡＣ／ＤＣ充電器とを有する移動可能な少なくとも１つの増設ユニットとを備えている。基本ユニットと少なくとも１つの増設ユニットとが互いに機械的に連結されていると共に、少なくとも１つの増設ユニットの複数の第２の蓄電池が基本ユニットのＤＣ／ＡＣ変換器に電気的に接続されており、ＤＣ／ＡＣ変換器は複数の第２の蓄電池からの電力をも商用電力に変換するように構成されており、基本ユニット及び少なくとも１つの増設ユニットの各々が、架台とこの架台に取り付けられた複数のキャスタとを備えており、複数の第１及び第２の蓄電池が架台上の上下方向の複数段にわたって搭載されている。
【００１１】
本考案によれば、さらにまた、非常用電源装置は、複数の第１の蓄電池と、複数の第１の蓄電池に電気的に接続されており商用電力から複数の第１の蓄電池に充電するための第１のＡＣ／ＤＣ充電器と、複数の第１の蓄電池に電気的に接続されており複数の第１の蓄電池からの電力を商用電力に変換するためのＤＣ／ＡＣ変換器とを有する移動可能な基本ユニットと、複数の第２の蓄電池と、複数の第２の蓄電池に電気的に接続されており商用電力から複数の第２の蓄電池に充電するための第２のＡＣ／ＤＣ充電器とを有する移動可能な少なくとも１つの増設ユニットとを備えている。基本ユニットと少なくとも１つの増設ユニットとが互いに機械的に連結されていると共に、少なくとも１つの増設ユニットの複数の第２の蓄電池が基本ユニットのＤＣ／ＡＣ変換器に電気的に接続されており、ＤＣ／ＡＣ変換器は複数の第２の蓄電池からの電力をも商用電力に変換するように構成されており、基本ユニット及び少なくとも１つの増設ユニットの各々が、架台とこの架台に取り付けられた複数のキャスタとを備えており、複数の第１及び第２の蓄電池が架台上の上下方向の複数段にわたって搭載されており、第１及び第２のＡＣ／ＤＣ充電器並びにＤＣ／ＡＣ変換器が、架台の最上段に搭載されている。
【００１２】
本考案によれば、さらに、非常用電源装置は、複数の第１の蓄電池と、複数の第１の蓄電池に電気的に接続されており商用電力から複数の第１の蓄電池に充電するための第１のＡＣ／ＤＣ充電器と、複数の第１の蓄電池に電気的に接続されており複数の第１の蓄電池からの電力を商用電力に変換するためのＤＣ／ＡＣ変換器とを有する移動可能な基本ユニットと、複数の第２の蓄電池と、複数の第２の蓄電池に電気的に接続されており商用電力から複数の第２の蓄電池に充電するための第２のＡＣ／ＤＣ充電器とを有する移動可能な少なくとも１つの増設ユニットとを備えている。基本ユニットと少なくとも１つの増設ユニットとが互いに機械的に連結されていると共に、少なくとも１つの増設ユニットの複数の第２の蓄電池が基本ユニットのＤＣ／ＡＣ変換器に電気的に接続されており、ＤＣ／ＡＣ変換器は複数の第２の蓄電池からの電力をも商用電力に変換するように構成されており、基本ユニット及び少なくとも１つの増設ユニットの各々が、横方向への転倒を防止するための少なくとも１つの転倒防止部材及び／又は連結のための少なくとも１つの連結部材を備えている。
【考案の効果】
【００１３】
本考案によれば、要求される電力量に見合った適切な容量の非常用電源装置を得ることができ、また、電力量の増大化が容易でかつ安価な非常用電源装置を提供することができる。
【図面の簡単な説明】
【００１４】
【図１】本考案の非常用電源装置の一実施形態における基本ユニットの構成を示す、（Ａ）一部破断外観側面図、（Ｂ）一部破断外観正面図、（Ｃ）内部側面図、及び（Ｄ）内部正面図である。
【図２】図１の実施形態における基本ユニットの転倒防止部材及び基本ユニットと増設ユニットとの連結構造を示す正面図である。
【図３】図１の実施形態における電気的構成を示す回路図である。
【図４】本考案の非常用電源装置の他の実施形態における基本ユニット及び増設ユニットの構成を示す、（Ａ）正面図、及び（Ｂ）平面図である。
【図５】図４の実施形態における電気的構成を示す回路図である。
【図６】本考案の非常用電源装置のさらに他の実施形態における基本ユニット及び２つの増設ユニットの構成を示す、（Ａ）正面図、及び（Ｂ）平面図である。
【図７】図６の実施形態における電気的構成を示す回路図である。
【考案を実施するための形態】
【００１５】
図１は本考案の非常用電源装置の一実施形態における基本ユニットの構成を示しており、同図（Ａ）は一部破断した外観側面図、同図（Ｂ）は一部破断した外観正面図、同図（Ｃ）は内部側面図、及び同図（Ｄ）は内部正面図をそれぞれ表している。図２は本実施形態における基本ユニットの転倒防止部材及び基本ユニットと増設ユニットとの連結構造の正面を表している。また、図３は本実施形態における電気的構成を表している。
【００１６】
図１及び図２に示すように、基本ユニット１０は、下段装架部１１ａ、中段装架部１１ｂ及び上段装架部１１ｃ並びにこれら装架部を支える支柱１１ｄ及び支柱１１ｅを有する架台１１と、この架台１１の下段装架部１１ａ上に搭載され固定された２つの蓄電池１２ａ及び１２ｂと、中段装架部１１ｂ上に搭載され固定された２つの蓄電池１２ｃ及び１２ｄと、上段装架部１１ｃ上に搭載され固定されており、これら４つの蓄電池１２ａ〜１２ｄへの充電能力を備えたマイコン制御式のバッテリチャージャ１３（本考案のＡＣ／ＤＣ充電器に対応する）及びインバータ１４（本考案のＤＣ／ＡＣ変換器に対応する）とを備えている。なお、本実施形態では、バッテリチャージャ１３及びインバータ１４は、実際には、上段装架部１１ｃ上に設置された装架ケース内に配置されている。
【００１７】
架台１１の下段装架部１１ａの底面には複数のキャスタ１５が取り付けられており、さらにこの架台１１には、必要に応じてキャスタ１５の回転を抑止するブレーキ１６が取り付けられている。また、架台１１の全側面は架台ケース１７によって覆われている。
【００１８】
図２に示すように、架台１１の支柱１１ｄ及び１１ｅには、折り畳み及び伸縮式のアウトリガー部材１８（本考案の転倒防止部材に対応する）と、連結部材１９とが取り付けられている。アウトリガー部材１８は、移動時は折り畳まれているが、非常用電源装置を設置した際に必要に応じて伸長させてその先端を設置面に当接させ、基本ユニットの横方向への転倒を防止させるためのものである。このアウトリガー部材１８は基本ユニットの全ての支柱に取り付けておいても良いし、一部の支柱のみに取り付けておいても良い。連結部材１９は基本ユニット１０及び隣接する増設ユニット２０の支柱間を連結してこれらユニットの転倒及び移動を防止するためのものである。この連結部材１９も基本ユニットの全ての支柱に取り付けておいても良いし、一部の支柱のみに取り付けておいても良い。また、１つの支柱に複数設けても良い。
【００１９】
増設ユニット２０の構成もこの基本ユニット１０の構成とほぼ同様である。ただし、この増設ユニット２０にはインバータが設けられていない。
【００２０】
本実施形態における非常用電源装置の電気的構成として、図３に示すように、基本ユニット１０における２つの蓄電池１２ａ及び１２ｂは互いに直列に接続され、また、２つの蓄電池１２ｃ及び１２ｄも互いに直列に接続され、これら直列接続された蓄電池は互いに並列接続されている。これら直並列接続された４つの蓄電池１２ａ〜１２ｄの正負電極がマイコン制御式のバッテリチャージャ１３のＤＣ出力端子に接続されていると共に、インバータ１４のＤＣ入力端子に接続されている。バッテリチャージャ１３のＡＣ入力端子は商用電源に接続されるように構成されている。同様に、増設ユニット２０における２つの蓄電池２２ａ及び２２ｂは互いに直列に接続され、また、２つの蓄電池２２ｃ及び２２ｄも互いに直列に接続され、これら直列接続された蓄電池は互いに並列接続されている。これら直並列接続された４つの蓄電池２２ａ〜２２ｄの正負電極がバッテリチャージャ２３のＤＣ出力端子に接続されていると共に、インバータ１４のＤＣ入力端子に接続されている。バッテリチャージャ２３のＡＣ入力端子は商用電源に接続されるように構成されている。なお、インバータ１４のＡＣ出力端子は非常用電圧（１００Ｖ）の出力端子として利用される。
【００２１】
通常時は、これら８つの蓄電池１２ａ〜１２ｄ及び２２ａ〜２２ｄは、商用電源（１００Ｖ）に接続されたバッテリチャージャ１３及び２３によって充電される。停電等によって商用電源が使用できない非常時は、インバータ１４のＡＣ出力端子から非常用電圧（１００Ｖ）を取り出して使用する。
【００２２】
本実施形態は、８つの蓄電池によって得られる電力量を供給する場合であるが、非常時に負荷の要求する電力量がこれとは異なる場合は、その要求される電力量に見合った数だけ増設ユニット２０の数を増大させることによって容易に対処することができる。このように、基本ユニット１０に必要数の増設ユニット２０を連結するのみで良いため、電力量の増大化をユニット化して簡易化することができる。また、増設ユニット２０の蓄電池２２ａ〜２２ｄからの電力の商用電力への変換も基本ユニット１０のインバータ１４によって行われ、増設ユニット２０にはインバータを設ける必要がないので、その分、安価な非常用電源装置を提供することができる。
【００２３】
また、本実施形態では、基本ユニット及び増設ユニットの各々が４つの蓄電池を備えているが、その数は２つでも８つでもそれ以上の偶数であっても良い。
【００２４】
図４は本考案の非常用電源装置の他の実施形態における基本ユニット及び増設ユニットの構成を示しており、同図（Ａ）は正面図、及び同図（Ｂ）は平面図をそれぞれ表している。図５は本実施形態における電気的構成を表している。
【００２５】
図４に示すように、基本ユニット４０は、下段装架部４１ａ、中段装架部４１ｂ及び上段装架部４１ｃ並びにこれら装架部を支える支柱４１ｄ、４１ｅ及び支柱４１ｆを有する架台４１と、この架台４１の下段装架部４１ａ上に搭載され固定された４つの蓄電池４２ａ、４２ｂ、４２ｃ及び４２ｄと、中段装架部４１ｂ上に搭載され固定された４つの蓄電池４２ｅ、４２ｆ、４２ｇ及び４２ｈと、上段装架部４１ｃ上に搭載され固定されており、これら８つの蓄電池４２ａ〜４２ｈへの充電能力を備えたマイコン制御式のバッテリチャージャ４３（本考案のＡＣ／ＤＣ充電器に対応する）及びインバータ４４（本考案のＤＣ／ＡＣ変換器に対応する）とを備えている。
【００２６】
架台４１の下段装架部４１ａの底面には複数のキャスタ４５が取り付けられている。また、架台４１の全側面は図示しない架台ケースによって覆われている。なお、この架台４１には、必要に応じてキャスタ４５の回転を抑止するブレーキを取り付けても良い。
【００２７】
架台４１の支柱４１ｄ及び４１ｅには、連結部材４９ａ及び４９ｂの一端がそれぞれ取り付けられている。これら連結部材４９ａ及び４９ｂは基本ユニット４０及び隣接する増設ユニット５０の支柱間を連結してこれら基本ユニット４０及び増設ユニット５０を機械的に連結し、転倒及び移動を防止するためのものである。連結部材４９ａ及び４９ｂを基本ユニット４０の全ての支柱に取り付けておいても良いし、一部の支柱のみに取り付けておいても良い。また、１つの支柱に複数設けても良い。
【００２８】
増設ユニット５０は、下段装架部５１ａ、中段装架部５１ｂ及び上段装架部５１ｃ並びにこれら装架部を支える支柱５１ｄ、５１ｅ及び支柱５１ｆを有する架台５１と、この架台５１の下段装架部５１ａ上に搭載され固定された４つの蓄電池５２ａ、５２ｂ、５２ｃ及び５２ｄと、中段装架部５１ｂ上に搭載され固定された４つの蓄電池５２ｅ、５２ｆ、５２ｇ及び５２ｈと、上段装架部５１ｃ上に搭載され固定されており、これら８つの蓄電池５２ａ〜５２ｈへの充電能力を備えたマイコン制御式バッテリチャージャ５３（本考案のＡＣ／ＤＣ充電器に対応する）とを備えている。この増設ユニット５０にはインバータが設けられていない。
【００２９】
架台５１の下段装架部５１ａの底面には複数のキャスタ５５が取り付けられている。また、架台５１の全側面は図示しない架台ケースによって覆われている。なお、この架台５１には、必要に応じてキャスタ５５の回転を抑止するブレーキを取り付けても良い。
【００３０】
架台５１の支柱５１ｄ及び５１ｆには、連結部材４９ａ及び４９ｂの他端がそれぞれ取り付けられている。これら連結部材４９ａ及び４９ｂは前述したようにこれら基本ユニット４０及び増設ユニット５０を機械的に連結し、転倒及び移動を防止するためのものである。連結部材を１つの支柱に複数設けても良い。
【００３１】
本実施形態における非常用電源装置の電気的構成として、図５に示すように、基本ユニット４０における２つの蓄電池４２ａ及び４２ｂは互いに直列に接続され、また、２つの蓄電池４２ｃ及び４２ｄも互いに直列に接続され、さらに、２つの蓄電池４２ｅ及び４２ｆも互いに直列に接続され、２つの蓄電池４２ｇ及び４２ｈも互いに直列に接続されており、これら直列接続された蓄電池は互いに並列接続されている。これら直並列接続された８つの蓄電池４２ａ〜４２ｈの正負電極がマイコン制御式のバッテリチャージャ４３のＤＣ出力端子に接続されていると共に、インバータ４４のＤＣ入力端子に接続されている。バッテリチャージャ４３のＡＣ入力端子は商用電源に接続されるように構成されている。同様に、増設ユニット５０における２つの蓄電池５２ａ及び５２ｂは互いに直列に接続され、また、２つの蓄電池５２ｃ及び５２ｄも互いに直列に接続され、さらに、２つの蓄電池５２ｅ及び５２ｆも互いに直列に接続され、２つの蓄電池５２ｇ及び５２ｈも互いに直列に接続されており、これら直列接続された蓄電池は互いに並列接続されている。これら直並列接続された８つの蓄電池５２ａ〜５２ｈの正負電極がマイコン制御式のバッテリチャージャ５３のＤＣ出力端子に接続されていると共に、インバータ４４のＤＣ入力端子に接続されている。バッテリチャージャ５３のＡＣ入力端子は商用電源に接続されるように構成されている。なお、インバータ４４のＡＣ出力端子は非常用電圧（１００Ｖ）の出力端子として利用される。
【００３２】
通常時は、これら１６個の蓄電池４２ａ〜４２ｈ及び５２ａ〜５２ｈは、商用電源（１００Ｖ）に接続されたバッテリチャージャ４３及び５３によって充電される。停電等によって商用電源が使用できない非常時は、インバータ４４のＡＣ出力端子から非常用電圧（１００Ｖ）を取り出して使用する。
【００３３】
本実施形態は、１６個の蓄電池によって得られる電力量を供給する場合であるが、非常時に負荷の要求する電力量がこれとは異なる場合は、その要求される電力量に見合った数だけ増設ユニット５０の数を増大させることによって容易に対処することができる。このように、基本ユニット４０に必要数の増設ユニット５０を連結するのみで良いため、電力量の増大化をユニット化して簡易化することができる。また、増設ユニット５０の蓄電池５２ａ〜５２ｈからの電力の商用電力への変換も基本ユニット４０のインバータ４４によって行われ、増設ユニット５０にはインバータを設ける必要がないので、その分、安価な非常用電源装置を提供することができる。
【００３４】
また、本実施形態では、基本ユニット及び増設ユニットの各々が８つの蓄電池を備えているが、その数は４つでも１６個でもそれ以上の偶数であっても良い。
【００３５】
図６は本考案の非常用電源装置のさらに他の実施形態における基本ユニット及び２つの増設ユニットの構成を示しており、同図（Ａ）は正面図、及び同図（Ｂ）は平面図をそれぞれ表している。図７は本実施形態における電気的構成を表している。
【００３６】
図６に示すように、基本ユニット６０は、下段装架部６１ａ、中段装架部６１ｂ及び上段装架部６１ｃ並びにこれら装架部を支える支柱６１ｄ、６１ｅ及び支柱６１ｆを有する架台６１と、この架台６１の下段装架部６１ａ上に搭載され固定された４つの蓄電池６２ａ、６２ｂ、６２ｃ及び６２ｄと、中段装架部６１ｂ上に搭載され固定された４つの蓄電池６２ｅ、６２ｆ、６２ｇ及び６２ｈと、上段装架部６１ｃ上に搭載され固定されており、これら８つの蓄電池６２ａ〜６２ｈへの充電能力を備えたマイコン制御式バッテリチャージャ６３（本考案のＡＣ／ＤＣ充電器に対応する）及びマイコン制御式インバータ６４（本考案のＤＣ／ＡＣ変換器に対応する）とを備えている。
【００３７】
架台６１の下段装架部６１ａの底面には複数のキャスタ６５が取り付けられている。また、架台６１の全側面は図示しない架台ケースによって覆われている。なお、この架台６１には、必要に応じてキャスタ６５の回転を抑止するブレーキを取り付けても良い。
【００３８】
架台６１の支柱６１ｄ及び６１ｅには、連結部材６９ａ及び６９ｂの一端がそれぞれ取り付けられている。これら連結部材６９ａ及び６９ｂは基本ユニット６０及び隣接する第１の増設ユニット７０の支柱間を連結してこれら基本ユニット６０及び第１の増設ユニット７０を機械的に連結し、転倒及び移動を防止するためのものである。連結部材６９ａ及び６９ｂを基本ユニット６０の全ての支柱に取り付けておいても良いし、一部の支柱のみに取り付けておいても良い。また、１つの支柱に複数設けても良い。
【００３９】
第１の増設ユニット７０は、下段装架部７１ａ、中段装架部７１ｂ及び上段装架部７１ｃ並びにこれら装架部を支える支柱７１ｄ、７１ｅ及び支柱７１ｆを有する架台７１と、この架台７１の下段装架部７１ａ上に搭載され固定された４つの蓄電池７２ａ、７２ｂ、７２ｃ及び７２ｄと、中段装架部７１ｂ上に搭載され固定された４つの蓄電池７２ｅ、７２ｆ、７２ｇ及び７２ｈと、上段装架部７１ｃ上に搭載され固定されており、これら８つの蓄電池７２ａ〜７２ｈへの充電能力を備えたマイコン制御式バッテリチャージャ７３（本考案のＡＣ／ＤＣ充電器に対応する）とを備えている。この第１の増設ユニット７０にはインバータが設けられていない。
【００４０】
架台７１の下段装架部７１ａの底面には複数のキャスタ７５が取り付けられている。また、架台７１の全側面は図示しない架台ケースによって覆われている。なお、この架台７１には、必要に応じてキャスタ７５の回転を抑止するブレーキを取り付けても良い。
【００４１】
架台７１の支柱７１ｄ及び７１ｆには、連結部材６９ａ及び６９ｂの他端がそれぞれ取り付けられている。これら連結部材６９ａ及び６９ｂは前述したように基本ユニット６０及び第１の増設ユニット７０を機械的に連結し、転倒及び移動を防止するためのものである。連結部材を１つの支柱に複数設けても良い。
【００４２】
第２の増設ユニット８０は、下段装架部８１ａ、中段装架部８１ｂ及び上段装架部８１ｃ並びにこれら装架部を支える支柱８１ｄを有する架台８１と、この架台８１の下段装架部８１ａ上に搭載され固定された４つの蓄電池８２ａ、８２ｂ、８２ｃ及び８２ｄと、中段装架部８１ｂ上に搭載され固定された４つの蓄電池８２ｅ、８２ｆ、８２ｇ及び８２ｈと、上段装架部８１ｃ上に搭載され固定されており、これら８つの蓄電池８２ａ〜８２ｈへの充電能力を備えたマイコン制御式バッテリチャージャ８３（本考案のＡＣ／ＤＣ充電器に対応する）とを備えている。この第２の増設ユニット８０にはインバータが設けられていない。
【００４３】
架台８１の下段装架部８１ａの底面には複数のキャスタ８５が取り付けられている。また、架台８１の全側面は図示しない架台ケースによって覆われている。なお、この架台８１には、必要に応じてキャスタ８５の回転を抑止するブレーキを取り付けても良い。
【００４４】
架台８１の支柱８１ｄ等には、連結部材７９ａ及び７９ｂの他端がそれぞれ取り付けられている。これら連結部材７９ａ及び７９ｂは前述したように第１の増設ユニット７０及び第２の増設ユニット８０を機械的に連結し、転倒及び移動を防止するためのものである。連結部材を１つの支柱に複数設けても良い。
【００４５】
本実施形態における非常用電源装置の電気的構成として、図７に示すように、基本ユニット６０における２つの蓄電池６２ａ及び６２ｂは互いに直列に接続され、また、２つの蓄電池６２ｃ及び６２ｄも互いに直列に接続され、さらに、２つの蓄電池６２ｅ及び６２ｆも互いに直列に接続され、２つの蓄電池６２ｇ及び６２ｈも互いに直列に接続されており、これら直列接続された蓄電池は互いに並列接続されている。これら直並列接続された８つの蓄電池６２ａ〜６２ｈの正負電極がマイコン制御式のバッテリチャージャ６３のＤＣ出力端子に接続されていると共に、インバータ６４のＤＣ入力端子に接続されている。バッテリチャージャ６３のＡＣ入力端子は商用電源に接続されるように構成されている。同様に、第１の増設ユニット７０における２つの蓄電池７２ａ及び７２ｂは互いに直列に接続され、また、２つの蓄電池７２ｃ及び７２ｄも互いに直列に接続され、さらに、２つの蓄電池７２ｅ及び７２ｆも互いに直列に接続され、２つの蓄電池７２ｇ及び７２ｈも互いに直列に接続されており、これら直列接続された蓄電池は互いに並列接続されている。これら直並列接続された８つの蓄電池７２ａ〜７２ｈの正負電極がマイコン制御式のバッテリチャージャ７３のＤＣ出力端子に接続されていると共に、インバータ６４のＤＣ入力端子に接続されている。バッテリチャージャ７３のＡＣ入力端子は商用電源に接続されるように構成されている。同様に、第２の増設ユニット８０における２つの蓄電池８２ａ及び８２ｂは互いに直列に接続され、また、２つの蓄電池８２ｃ及び８２ｄも互いに直列に接続され、さらに、２つの蓄電池８２ｅ及び８２ｆも互いに直列に接続され、２つの蓄電池８２ｇ及び８２ｈも互いに直列に接続されており、これら直列接続された蓄電池は互いに並列接続されている。これら直並列接続された８つの蓄電池８２ａ〜８２ｈの正負電極がマイコン制御式のバッテリチャージャ８３のＤＣ出力端子に接続されていると共に、インバータ６４のＤＣ入力端子に接続されている。バッテリチャージャ８３のＡＣ入力端子は商用電源に接続されるように構成されている。なお、インバータ６４のＡＣ出力端子は非常用電圧（１００Ｖ）の出力端子として利用される。
【００４６】
通常時は、これら２４個の蓄電池６２ａ〜６２ｈ、７２ａ〜７２ｈ及び８２ａ〜８２ｈは、商用電源（１００Ｖ）に接続されたバッテリチャージャ６３、７３及び８３によって充電される。停電等によって商用電源が使用できない非常時は、インバータ６４のＡＣ出力端子から非常用電圧（１００Ｖ）を取り出して使用する。
【００４７】
本実施形態は、２４個の蓄電池によって得られる電力量を供給する場合であるが、非常時に負荷の要求する電力量がこれとは異なる場合は、その要求される電力量に見合った数だけ増設ユニットの数を増大させることによって容易に対処することができる。このように、基本ユニット６０に必要数の増設ユニット７０及び８０を連結するのみで良いため、電力量の増大化をユニット化して簡易化することができる。また、第１の増設ユニット７０の蓄電池７２ａ〜７２ｈ及び第２の増設ユニット８０の蓄電池８２ａ〜８２ｈからの電力の商用電力への変換も基本ユニット６０のインバータ６４によって行われ、増設ユニット７０及び８０にはインバータを設ける必要がないので、その分、安価な非常用電源装置を提供することができる。
【００４８】
また、本実施形態では、基本ユニット６０、第１の増設ユニット７０及び第２の増設ユニット８０の各々が８つの蓄電池を備えているが、その数は４つでも１６個でもそれ以上の偶数であっても良い。
【００４９】
上述した実施形態においては、基本ユニットにおける蓄電池の数と、増設ユニットにおける蓄電池の数とが等しい場合であるが、これらの数は互いに異なっていても良い。また、複数の増設ユニットにおいても蓄電池の数が互いに異なっていても良い。さらに、基本ユニットにおける蓄電池と複数の増設ユニットにおける蓄電池との容量が互いに異なっていても良い。
【００５０】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００５１】
１０、４０、６０  基本ユニット
１１、４１、５１、６１、７１、８１  架台
１１ａ、４１ａ、５１ａ、６１ａ、７１ａ、８１ａ  下段装架部
１１ｂ、４１ｂ、５１ｂ、６１ｂ、７１ｂ、８１ｂ  中段装架部
１１ｃ、４１ｃ、５１ｃ、６１ｃ、７１ｃ、８１ｃ  上段装架部
１１ｄ、１１ｅ、４１ｄ、４１ｅ、４１ｆ、５１ｄ、５１ｅ、５１ｆ、６１ｄ、６１ｅ、６１ｆ、７１ｄ、７１ｅ、７１ｆ、８１ｄ  支柱
１２ａ、１２ｂ、１２ｃ、１２ｄ、２２ａ、２２ｂ、２２ｃ、２２ｄ、４２ａ、４２ｂ、４２ｃ、４２ｄ、４２ｅ、４２ｆ、４２ｇ、４２ｈ、５２ａ、５２ｂ、５２ｃ、５２ｄ、５２ｅ、５２ｆ、５２ｇ、５２ｈ、６２ａ、６２ｂ、６２ｃ、６２ｄ、６２ｅ、６２ｆ、６２ｇ、６２ｈ、７２ａ、７２ｂ、７２ｃ、７２ｄ、７２ｅ、７２ｆ、７２ｇ、７２ｈ、８２ａ、８２ｂ、８２ｃ、８２ｄ、８２ｅ、８２ｆ、８２ｇ、８２ｈ  蓄電池
１３、４３、５３、６３、７３、８３  マイコン制御式バッテリチャージャ
１４、４４、６４  マイコン制御式インバータ
１５、４５、５５、６５、７５、８５  キャスタ
１７  架台ケース
１８  アウトリガー部材
１９、４９ａ、４９ｂ、６９ａ、６９ｂ、７９ａ、７９ｂ  連結部材
５０  増設ユニット
７０  第１の増設ユニット
８０  第２の増設ユニット
【図１】
0003170407.tif 000003
【図２】
0003170407.tif 000004
【図３】
0003170407.tif 000005
【図４】
0003170407.tif 000006
【図５】
0003170407.tif 000007
【図６】
0003170407.tif 000008
【図７】
0003170407.tif 000009